(57)【特許請求の範囲】
【請求項１】
第１設定温度に基づいて温調される第１エリアに属する１又は複数の第１床暖房パネルと、
前記第１設定温度とは異なる第２設定温度に基づいて温調される第２エリアに属する１又は複数の第２床暖房パネルとを備え、
前記第１エリア及び前記第２エリアの少なくとも一方での床暖房運転が開始されると、  前記第１床暖房パネル及び前記第２床暖房パネルをそれぞれ循環する温調水の温度が、床暖房運転が開始されたエリアに対して設定された設定温度に対応した目標水温以上の目標水温に基づいて制御されると共に、前記第１エリア及び前記第２エリアでの床暖房運転が同時に行われる場合には、両エリアでの床暖房運転開始時から前記第１エリア及び前記第２エリアに属する床暖房パネルに温調水が供給されるとともに、両エリアでの床暖房運転開始時よりも後において、前記第１エリア及び前記第２エリアのうちで設定温度が低い方のエリアの床暖房パネルに供給される温調水量の間欠制御が開始され、
前記第１エリア及び前記第２エリアのうちで設定温度が低い方のエリアの床暖房パネルに供給される温調水量の間欠制御は、前記第１床暖房パネル及び前記第２床暖房パネルをそれぞれ循環する温調水の温度が前記第１設定温度に対応した第１目標水温及び前記第２設定温度に対応した第２目標水温のうちで低い方の目標水温に到達した時点から第２所定時間が経過した後で開始されることを特徴とする床暖房装置。
【請求項２】
前記第１エリア及び前記第２エリアのうちで設定温度が低い方のエリアの床暖房パネルに供給される温調水量の間欠制御は、両エリアでの床暖房運転開始時から第１所定時間が経過した後で開始されることを特徴とする請求項１に記載の床暖房装置。
【請求項３】
前記第１エリア及び前記第２エリアのうちで設定温度が低い方のエリアの床暖房パネルに供給される温調水量の間欠制御は、前記第１設定温度に対応した第１目標水温と前記第２設定温度に対応した第２目標水温との温度差が一定値よりも大きい場合に開始されることを特徴とする請求項１または２に記載の床暖房装置。
【請求項４】
前記第１エリア及び前記第２エリアのうちで設定温度が低い方のエリアの床暖房パネルに供給される温調水量の間欠制御は、前記第１設定温度に対応した第１目標水温及び前記第２設定温度に対応した第２目標水温に基づいて行われることを特徴とする請求項１〜３のいずれか１項に記載の床暖房装置。
【請求項５】
前記第１エリア及び前記第２エリアのうちで設定温度が低い方のエリアには複数の床暖房パネルが属しており、
前記複数の床暖房パネルの少なくとも１つの床暖房パネルに供給される温調水量の間欠制御に用いられるパルス信号は、他の床暖房パネルに供給される温調水量の間欠制御に用いられるパルス信号とは異なるタイミングでオン／オフが切り換わることを特徴とする請求項１〜４のいずれか１項に記載の床暖房装置。
【請求項６】
前記複数の床暖房パネルに供給される温調水量の間欠制御に用いられるパルス信号の全ては、互いに異なるタイミングでオン／オフが切り換わることを特徴とする請求項５に記載の床暖房装置。
【発明の詳細な説明】
【技術分野】
【０００１】
本発明は、２つのエリアに配置された複数の床暖房パネルを有する床暖房装置に関するものである。
【背景技術】
【０００２】
床暖房装置には、２つのエリアに配置された複数の床暖房パネルを用いて２つのエリアにおける床暖房運転を同時に行うものがある。この床暖房装置において、２つのエリアに配置された床暖房パネルの床暖房運転が同時に行われる場合には、２つのエリアの床暖房パネルには同じ温度の温調水が供給されると共に、各床暖房パネルに供給される温調水量はそれらに対応した熱動弁によって制御される。そして、２つのエリアにおいて異なる設定温度での床暖房運転が行われる場合には、高い方の設定温度に基づいて制御された温調水が各床暖房パネルに供給される。このとき、設定温度が高いエリア（高温エリア）での床暖房運転は適正に行われるが、設定温度が低いエリア（低温エリア）の床暖房パネルでは床温が上がりすぎる。従って、低温エリアの床暖房パネルに対応した熱動弁をオン／オフ運転することで、低温エリアの床暖房パネルの床温が制御される（例えば、特許文献１参照）。
【特許文献１】特開２００６−３２９５７０号公報
【発明の開示】
【発明が解決しようとする課題】
【０００３】
ここで、各床暖房パネルに供給される温調水の温度が非常に低い状態で床暖房運転が開始された場合には、温調水の温度と各エリアの設定温度との温度差が大きいために、高温エリア及び低温エリアのいずれにおいても床暖房パネルの床温上昇が遅くなってしまう。特に、高温エリア及び低温エリアでの床暖房運転が同時に行われる場合に、両エリアでの床暖房運転開始時と同時に、低温エリアの床暖房パネルに対応した熱動弁のオン／オフ制御が開始されると、低温エリアの床暖房パネルの床温上昇が著しく遅くなるという問題が発生する。
【０００４】
そこで、本発明の主な目的は、２つのエリアに配置された複数の床暖房パネルの床温上昇を早めることができる床暖房装置を提供することである。
【課題を解決するための手段】
【０００５】
第１の発明に係る床暖房装置は、第１設定温度に基づいて温調される第１エリアに属する１又は複数の第１床暖房パネルと、前記第１設定温度とは異なる第２設定温度に基づいて温調される第２エリアに属する１又は複数の第２床暖房パネルとを備え、前記第１エリア及び前記第２エリアの少なくとも一方での床暖房運転が開始されると、前記第１床暖房パネル及び前記第２床暖房パネルをそれぞれ循環する温調水の温度が、床暖房運転が開始されたエリアに対して設定された設定温度に対応した目標水温以上の目標水温に基づいて制御されると共に、前記第１エリア及び前記第２エリアでの床暖房運転が同時に行われる場合には、両エリアでの床暖房運転開始時から前記第１エリア及び前記第２エリアに属する床暖房パネルに温調水が供給されるとともに、両エリアでの床暖房運転開始時よりも後において、前記第１エリア及び前記第２エリアのうちで設定温度が低い方のエリアの床暖房パネルに供給される温調水量の間欠制御が開始され、前記第１エリア及び前記第２エリアのうちで設定温度が低い方のエリアの床暖房パネルに供給される温調水量の間欠制御は、前記第１床暖房パネル及び前記第２床暖房パネルをそれぞれ循環する温調水の温度が前記第１設定温度に対応した第１目標水温及び前記第２設定温度に対応した第２目標水温のうちで低い方の目標水温に到達した時点から第２所定時間が経過した後で開始されることを特徴としている。 
ここで、床暖房運転が開始されたエリアに対して設定された設定温度に対応した目標水温以上の目標水温とは、２エリアの運転が行われる場合は、２エリアに対して設定された設定温度の高い方の設定温度に対応した目標水温以上の温度であり、１エリアの運転が行われる場合は、運転が行われる１エリアに対して設定された設定温度に対応した目標水温以上の温度である。
【０００６】
この床暖房装置では、第１エリア及び第２エリアの少なくとも一方での床暖房運転が開始されると、床暖房システムの水温（第１床暖房パネル及び第２床暖房パネルをそれぞれ循環する温調水の温度）が、床暖房運転が開始されたエリアに対して設定された設定温度に対応した目標水温以上の目標水温に基づいて制御される。そのため、第１床暖房パネル及び第２床暖房パネルにおける床温上昇を早めることができる。また、第１エリア及び第２エリアでの床暖房運転が同時に行われる場合に、両エリアでの床暖房運転開始時から第１エリア及び第２エリアに属する床暖房パネルに温調水が供給されるとともに、第１エリア及び第２エリアのうちで設定温度が低い方のエリア（低温エリア）の床暖房パネルに供給される温調水量の間欠制御は、両エリアでの床暖房運転開始時と同時に開始されるのではなく、両エリアでの床暖房運転開始時よりも後において開始されるので、低温エリアの床暖房パネルにおける床温上昇が遅くなるのを抑制できる。
この床暖房装置では、低温エリアの床暖房パネルに供給される温調水量の間欠制御は、床暖房システムの水温が低温エリアでの目標水温に到達した時点から第２所定時間が経過した後で開始されるので、低温エリアの床暖房パネルにおける床温上昇が遅くなるのを抑制できる。
【０００７】
第２の発明に係る床暖房装置は、第１の発明に係る床暖房装置であって、前記第１エリア及び前記第２エリアのうちで設定温度が低い方のエリアの床暖房パネルに供給される温調水量の間欠制御は、両エリアでの床暖房運転開始時から第１所定時間が経過した後で開始されることを特徴としている。
【０００８】
この床暖房装置では、第１エリア及び第２エリアでの床暖房運転が異なる設定温度で開始された場合には、水ポンプの回転数や熱源の運転周波数が変化することで床暖房システムの水温が変動することがあるため、低温エリアの床暖房パネルに供給される温調水量の間欠制御は、両エリアでの床暖房運転開始時から第１所定時間が経過し、床暖房システムの水温が安定した後で開始される。従って、低温エリアの床暖房パネルの床温をその設定温度に基づいて適正に制御できる。
【０００９】
【００１０】
【００１１】
第３の発明に係る床暖房装置は、第１または第２の発明に係る床暖房装置であって、前記第１エリア及び前記第２エリアのうちで設定温度が低い方のエリアの床暖房パネルに供給される温調水量の間欠制御は、前記第１設定温度に対応した第１目標水温と前記第２設定温度に対応した第２目標水温との温度差が一定値よりも大きい場合に開始されることを特徴としている。
【００１２】
この床暖房装置では、低温エリアの床暖房パネルに供給される温調水量の間欠制御は、第１目標水温と第２目標水温との温度差が一定値よりも大きく、低温エリアの床暖房パネルの床温が上がりすぎる場合にだけ行われる。つまり、第１目標水温と第２目標水温との温度差が一定値以下の場合は、第１エリア及び第２エリアのうちで設定温度が高い方のエリア（高温エリア）の設定温度に基づいて制御された温調水が低温エリアの床暖房パネルに供給されたとしても、低温エリアの床暖房パネルの床温が上がりすぎることはないので、低温エリアの床暖房パネルに供給される温調水量の間欠制御は行われなくても問題はない。
【００１３】
第４の発明に係る床暖房装置は、第１〜３の発明のいずれかに係る床暖房装置であって、前記第１エリア及び前記第２エリアのうちで設定温度が低い方のエリアの床暖房パネルに供給される温調水量の間欠制御は、前記第１設定温度に対応した第１目標水温及び前記第２設定温度に対応した第２目標水温に基づいて行われることを特徴としている。
【００１４】
この床暖房装置では、低温エリアの床暖房パネルに供給される温調水量の間欠制御は、第１目標水温及び第２目標水温に基づいて行われるので、低温エリアの床暖房パネルの床温をその設定温度に基づいて適正に制御できる。
【００１５】
第５の発明に係る床暖房装置は、第１〜４の発明のいずれかに係る床暖房装置であって、前記第１エリア及び前記第２エリアのうちで設定温度が低い方のエリアには複数の床暖房パネルが属しており、前記複数の床暖房パネルの少なくとも１つの床暖房パネルに供給される温調水量の間欠制御に用いられるパルス信号は、他の床暖房パネルに供給される温調水量の間欠制御に用いられるパルス信号とは異なるタイミングでオン／オフが切り換わることを特徴としている。
【００１６】
この床暖房装置では、低温エリアに属する複数の床暖房パネルの少なくとも１つにおいて、温調水の供給タイミング及び温調水の供給停止タイミングがずれるので、高温エリアに属する床暖房パネルに供給される温調水量が変動するのを抑制できる。
【００１７】
第６の発明に係る床暖房装置は、第５の発明に係る床暖房装置であって、前記複数の床暖房パネルに供給される温調水量の間欠制御に用いられるパルス信号の全ては、互いに異なるタイミングでオン／オフが切り換わることを特徴としている。
【００１８】
この床暖房装置では、低温エリアに属する複数の床暖房パネルの全てにおいて、温調水の供給タイミング及び温調水の供給停止タイミングがずれるので、高温エリアに属する床暖房パネルに供給される温調水量が変動するのを防止できる。
【発明の効果】
【００１９】
以上の説明に述べたように、本発明によれば、以下の効果が得られる。
【００２０】
第１の発明では、第１エリア及び第２エリアの少なくとも一方での床暖房運転が開始されると、床暖房システムの水温（第１床暖房パネル及び第２床暖房パネルをそれぞれ循環する温調水の温度）が、床暖房運転が開始されたエリアに対して設定された設定温度に対応した目標水温以上の目標水温に基づいて制御される。そのため、第１床暖房パネル及び第２床暖房パネルにおける床温上昇を早めることができる。また、第１エリア及び第２エリアでの床暖房運転が同時に行われる場合に、第１エリア及び第２エリアのうちで設定温度が低い方のエリア（低温エリア）の床暖房パネルに供給される温調水量の間欠制御は、両エリアでの床暖房運転開始時と同時に開始されるのではなく、両エリアでの床暖房運転開始時よりも後において開始されるので、低温エリアの床暖房パネルにおける床温上昇が遅くなるのを抑制できる。
第１の発明では、低温エリアの床暖房パネルに供給される温調水量の間欠制御は、床暖房システムの水温が低温エリアでの目標水温に到達した時点から第２所定時間が経過した後で開始されるので、低温エリアの床暖房パネルにおける床温上昇が遅くなるのをより効果的に抑制できる。
【００２１】
第２の発明では、第１エリア及び第２エリアでの床暖房運転が異なる設定温度で開始された場合には、水ポンプの回転数や熱源の運転周波数が変化することで床暖房システムの水温が変動することがあるため、低温エリアの床暖房パネルに供給される温調水量の間欠制御は、両エリアでの床暖房運転開始時から第１所定時間が経過し、床暖房システムの水温が安定した後で開始される。従って、低温エリアの床暖房パネルの床温をその設定温度に基づいて適正に制御できる。
【００２２】
【００２３】
第３の発明では、低温エリアの床暖房パネルに供給される温調水量の間欠制御は、第１目標水温と第２目標水温との温度差が一定値よりも大きく、低温エリアの床暖房パネルの床温が上がりすぎる場合にだけ行われる。つまり、第１目標水温と第２目標水温との温度差が一定値以下の場合は、第１エリア及び第２エリアのうちで設定温度が高い方のエリア（高温エリア）の設定温度に基づいて制御された温調水が低温エリアの床暖房パネルに供給されたとしても、低温エリアの床暖房パネルの床温が上がりすぎることはないので、低温エリアの床暖房パネルに供給される温調水量の間欠制御は行われなくても問題はない。
【００２４】
第４の発明では、低温エリアの床暖房パネルに供給される温調水量の間欠制御は、第１目標水温及び第２目標水温に基づいて行われるので、低温エリアの床暖房パネルの床温をその設定温度に基づいて適正に制御できる。
【００２５】
第５の発明では、低温エリアに属する複数の床暖房パネルの少なくとも１つにおいて、温調水の供給タイミング及び温調水の供給停止タイミングがずれるので、高温エリアに属する床暖房パネルに供給される温調水量が変動するのを抑制できる。
【００２６】
第６の発明では、低温エリアに属する複数の床暖房パネルの全てにおいて、温調水の供給タイミング及び温調水の供給停止タイミングがずれるので、高温エリアに属する床暖房パネルに供給される温調水量が変動するのを防止できる。
【発明を実施するための最良の形態】
【００２７】
（第１の実施形態）
以下、本発明に係る床暖房装置１００を備えた温調システムについて、図面を参照しつつ説明する。まず、図１に示している温調システムは、マルチ型のヒートポンプシステムを利用したもので、一台の室外機１７に対して、室内ユニット１８と温調水ユニット１とを並列に接続している。そして、室外機１７と室内ユニット１８とによって空気調和機が構成されており、また室外機１７、温調水ユニット１、床暖房パネル２ａ〜２ｄ等によって床暖房装置１００が構成されている。図１は、本発明の第１実施形態に係る床暖房装置の全体構成を示す水系統及び冷媒系統を示す回路図である。図２は、図１の床暖房装置の水系統の一部を拡大した図である。
【００２８】
まず、図１における回路図の床暖房装置１００の水系統について説明する。
床暖房装置１００は、温調水ユニット１と、家屋の床面に配置された４枚の床暖房パネル２ａ〜２ｄと、ヒートポンプシステムの室外機１７とを有している。上記温調水ユニット１と床暖房パネル２ａ〜２ｄとは、温調水往き配管５３ａ〜５３ｄと温調水戻り配管５５ａ〜５５ｄとからそれぞれ成る温調水配管３によって接続されている。そして、この温調水配管３を通して、温調水ユニット１と床暖房パネル２ａ〜２ｄとの間の温調水８の循環供給を行うように構成されている。
【００２９】
上記温調水ユニット１は、機械室１ａとヘッダ室１ｂとを備えており、上記機械室１ａには、水熱交換器１６、簡易密閉型の膨張タンク７、循環ポンプ９、電装品３３等が設けられている。一方、上記ヘッダ室１ｂには、往きヘッダ４、戻りヘッダ６等が設けられている。詳細に説明すると、上記機械室１ａにおける膨張タンク７の底部には往き管１０が接続されており、その先端が循環ポンプ９を介してヘッダ室１ｂの往きヘッダ４に接続されている。上記往きヘッダ４は、略筒状のヘッダ本体４ａと、その基端部に形成された主管接続部４ｂと、ヘッダ本体４ａ外周部の長手方向に並設して形成された複数個（本実施形態では４個）の分岐管接続部５１ａ〜５１ｄとから成り、上記主管接続部４ｂに往き管１０が接続され、また各分岐管接続部５１ａ〜５１ｄに上記床暖房パネル２ａ〜２ｄへと通じる温調水往き配管５３ａ〜５３ｄの一端が接続されている。そして、これら温調水往き配管５３ａ〜５３ｄには、各分岐管接続部５１ａ〜５１ｄに対応した開閉弁である熱動弁５２ａ〜５２ｄが付設されている。一方、上記温調水往き配管５３ａ〜５３ｄの他端は、床暖房パネル２ａ〜２ｄに形成された蛇行形状の温調水循環パイプ５４ａ〜５４ｄの一端に接続されている。従って、上記膨張タンク７内の温調水８は循環ポンプ９の作動によって往き管１０に供給され、さらに往きヘッダ４で複数本の温調水往き配管５３ａ〜５３ｄに分流されて、各床暖房パネル２ａ〜２ｄへと供給される。
【００３０】
一方、上記床暖房パネル２ａ〜２ｄに形成された温調水循環パイプ５４ａ〜５４ｄのもう一方の端部には、温調水戻り配管５５ａ〜５５ｄが接続されており、さらにその先端がヘッダ室１ｂの戻りヘッダ６に接続されている。上記戻りヘッダ６は、往きヘッダ４と同様に、略筒状のヘッダ本体６ａと、その基端部に形成された主管接続部６ｂと、ヘッダ本体６ａ外周部の長手方向に並設して形成された複数個（本実施形態では４個）の分岐管接続部５６ａ〜５６ｄとから成り、上記分岐管接続部５６ａ〜５６ｄに温調水戻り配管５５ａ〜５５ｄが接続されると共に、上記主管接続部４ｂに戻り管１２が接続されている。
【００３１】
また、上記戻り管１２と膨張タンク７とは熱交換路１３によって接続されているが、この熱交換路１３は、以下に述べる冷媒回路の凝縮器又は蒸発器として機能する水熱交換器１６と熱交換可能に設けられており、ここで、上記戻り管１２から返流される温調水８を加熱又は冷却するようにしている。そして、この熱交換路１３の先端が膨張タンク７の底部に接続されているのである。これより、床暖房パネル２ａ〜２ｄの温調水循環パイプ５４ａ〜５４ｄを流通した温調水８は、温調水戻り配管５５ａ〜５５ｄを通って戻りヘッダ６に流入し、この戻りヘッダ６によって各温調水戻り配管５５ａ〜５５ｄを流通する温調水８が合流されて戻り管１２に供給され、さらに上記熱交換路１３で加熱された後、膨張タンク７に供給される。このとき上記戻り管１２には、温度検知手段である戻り水温検知サーミスタ３５が、また上記水熱交換器１６には、水熱交温度検知サーミスタ３６が取付けられている。
【００３２】
ここで、床暖房パネル２ａ〜２ｄは、エリアＩ及びエリアＩＩのいずれかに属している。図２では、エリアＩには床暖房パネル２ａが属し、エリアＩＩには床暖房パネル２ｂ〜２ｄが属している。そして、エリアＩの床暖房パネル２ａは、ワイヤードリモコン４６において設定された温度設定に基づいて温調され、エリアＩＩの床暖房パネル２ｂ〜２ｄは、ワイヤードリモコン４７において設定された温度設定に基づいて温調される。ここで、リモコン４６、４７では、各エリアに関して、９段階の温度設定レベルのいずれかを選択可能になっている。そして、リモコン４６、４７で１つの温度設定レベルが選択されると、その温度設定レベルに対応した設定温度が各エリアごとに設定される。従って、各エリアに複数の床暖房パネルが属する場合には、それらの複数の床暖房パネルは同一の設定温度に基づいて温調される。
【００３３】
なお、床暖房パネル２ａ〜２ｄがエリアＩ及びエリアＩＩのいずれに属するかは変更可能である。従って、例えば、床暖房パネル２ａ、２ｂがエリアＩに属すると共に床暖房パネル２ｃ、２ｄがエリアＩＩに属するように設定することもできるし、床暖房パネル２ａ〜２ｃがエリアＩに属すると共に床暖房パネル２ｄがエリアＩＩに属するように設定することもできる。つまり、床暖房パネル２ａ〜２ｄは、パネルごとに、エリアＩ及びエリアＩＩのいずれに属するかを設定可能である。また、床暖房パネル２ａ〜２ｄは、１つの部屋に複数設置することもできるし、複数の部屋にそれぞれ設置することもできる。
【００３４】
次に、冷媒系統について説明する。なお、以下においては、暖房運転時を例にしてその説明を行っている。本実施形態では温調水８の加熱に水熱交換器１６を使用し、この水熱交換器１６と、マルチ型のヒートポンプシステムの室外機１７の室外熱交換器１９との間で冷媒循環回路を構成して、熱交換路１３を流れる温調水８を加熱するようにしている。また、図１に示すように、このヒートポンプシステムの室外機１７に接続された１台の室内ユニット１８を備えており、室外機１７と室内ユニット１８によって空気調和機を構成している。この空気調和機では、冷媒が循環可能な順序で、圧縮機２１、室内ファン２０ａを付設した室内熱交換器２０、減圧機構２２、室外ファン１９ａを付設した室外熱交換器１９を接続して冷媒循環回路を構成している。
【００３５】
より詳しく説明すると、圧縮機２１の吐出管２１ａと吸入管２１ｂとが四路切換弁２３の１次ポートに接続されており、上記吸込管２１ｂにアキュムレータ３１が介設される一方、上記吐出管２１ａには、吐出管温度検知サーミスタ３８が付設されている。また、上記四路切換弁２３の一対の２次ポートの間には、第１ガス管２４ａ、室内熱交換器２０、第１液管２４ｂ、減圧機構２２、第２液管２４ｃ、室外熱交換器１９及び第２ガス管２４ｄが、順番に環状に接続されている。このとき、上記室内熱交換器２０と室外熱交換器１９には、それぞれ室内熱交温度検知サーミスタ４３と室外熱交温度検知サーミスタ４１とが付設されており、さらに上記室内ユニット１８と室外機１７には、室内温度検知サーミスタ４４と外気温度検知サーミスタ４２とがそれぞれ取付けられている。
【００３６】
また、上記第１液管２４ｂには、上記温調水ユニット１内に設けられた各ヘッダ４、６と同様の略筒状のヘッダ２６が介設されており、このヘッダ２６と室内熱交換器２０とを結ぶ間の部分が連絡配管２５の液管２５ａとなる。同様に上記第１ガス管２４ａにも略筒状のヘッダ２７が介設されており、このヘッダ２７と室内熱交換器２０とを結ぶ間の部分が連絡配管２５のガス管２５ｂとなる。そして、上記ヘッダ２６に接続されたもう１つの連絡配管２８である液管２８ａが、温調水ユニット１の水熱交換器１６の一端に接続され、また上記ヘッダ２７に接続されたもう１つの連絡配管２８であるガス管２８ｂが、水熱交換器１６の他端に接続されている。
【００３７】
これによって、四路切換弁２３には室外熱交換器１９、減圧機構２２、温調水ユニット１の水熱交換器１６が環状に接続されることになる。また、連絡配管２５、２８の各液管２５ａ、２８ａはそれぞれ電動膨張弁２９、３０を介してヘッダ２６に接続されており、この電動膨張弁２９、３０の開閉を適宜制御することによって、室内ユニット１８及び温調水ユニット１の両方に供給する冷媒量を制御できるように成っている。ここで、上記液管２５ａの室内ユニット１８側と、液管２８ａの温調水ユニット１側には、それぞれ液管温度検知サーミスタ３９、３７が付設されており、上記ガス管２５ｂ、２８ｂの室外機１７側には、それぞれガス管温度検知サーミスタ４０ａ、４０ｂが付設されている。
【００３８】
なお、室外機１７に設けた電装品３２には、電源から例えば２００Ｖ、２０Ａの電力が供給され、室外機１７内の電気的制御が行われる。また、上記床温調機には、室内の冷暖房運転の開始や停止等の操作を行うためのワイヤレスリモコン４５と、上述したように、床の冷暖房に対して同様の操作を行うためのワイヤードリモコン４６、４７とがそれぞれ設けられている。これら各リモコン４５〜４７によって、利用者が希望する室温、床温等の設定が行われる。さらに、この室外機１７の電装品３２と室内ユニット１８に設けた電装品３４、及び上記室外機１７の電装品３２と温調水ユニット１に設けた電装品３３とは、それぞれ信号・電源線で接続されている。このため、空気調和機と温調水ユニット１とを連動させる設定が利用者によって行われると、例えばワイヤレスリモコン４５における運転開始操作で、空気調和機と温調水ユニット１とを併用した運転を開始させることも可能である。
【００３９】
次に、本実施形態の床暖房装置１００の制御ユニットの主要な構成について、図３を参照して説明する。図３は、図１の床暖房装置の制御ユニットの主要な構成を示すブロック図である。制御ユニット６０は、目標水温決定部６１と、速暖目標水温記憶部６２と、速暖時間決定部６３と、運転時間タイマー６４と、禁止タイマー６５と、速暖タイマー６６と、膨張弁制御部６７と、判断部６８と、熱動弁制御部６９と、圧縮機制御部７０とを有している。そして、制御ユニット６０には、エリアＩ用のリモコン４６と、エリアＩＩ用のリモコン４７と、戻り水温検知サーミスタ３５と、外気温度検知サーミスタ４２と、圧縮機２１と、熱動弁５２ａ〜５２ｄと、電動膨張弁２９とがそれぞれ接続されている。また、リモコン４６、４７には、室温検知サーミスタ４６ａ、４７ａがそれぞれ配置されている。
【００４０】
目標水温決定部６１は、床暖房システムの目標水温を決定する。本実施形態では、目標水温決定部６１は、戻り水温検知サーミスタ３５で検知される戻り水温の目標水温を決定する。従って、本実施形態の床暖房装置１００では、戻り水温検知サーミスタ３５で検知される戻り水温が、目標水温決定部６１で決定された目標水温に基づいて制御される。ここで、目標水温決定部６１での床暖房システムの目標水温の決定手順について、図４を参照して説明する。図４は、目標水温決定部での床暖房システムの目標水温の決定手順を示すフローチャートである。
【００４１】
まず、床暖房運転が立ち上がり速暖運転か否かが判断される（ステップＳ１）。立ち上がり速暖運転の場合（Ｓ１：ＹＥＳ）は、ステップＳ１０に進み、床暖房システムの目標水温は、後述の速暖目標水温ＤＭＡＸに決定される。
【００４２】
一方、立ち上がり速暖運転でない場合（Ｓ１：ＮＯ）は、エリアＩ及びエリアＩＩに関して、戻り水温の目標水温Ｄ（Ｉ）、Ｄ（ＩＩ）が、ステップＳ２〜Ｓ９の手順で決定される。まず、エリアＩ及びエリアＩＩの目標水温Ｄ（Ｉ）、Ｄ（ＩＩ）は、リモコン４６、４７で選択された温度設定レベルに対応した設定温度と同一になるように設定される（ステップＳ２）。ここで、戻り水温の目標水温を決定するときには、外気温度、室内温度及び床暖房パネル種類による補正を行うことができ、いずれの補正を行うか否かの設定がリモコン４６、４７によって行われている。そして、外気温度による補正を行うか否かが判断される（ステップＳ３）。ここで、外気温度による補正を行う場合（Ｓ３：ＹＥＳ）には、上記の目標水温が外気温度による補正値によって変更される（ステップＳ４）。一方、外気温度による補正を行わない場合（Ｓ３：ＮＯ）は、ステップＳ５に進む。次に、室内温度による補正を行うか否かが判断される（ステップＳ５）。ここで、室内温度による補正を行う場合（Ｓ５：ＹＥＳ）には、上記の目標水温は、室内温度による補正値によって変更される（ステップＳ６）。一方、室内温度による補正を行わない場合（Ｓ５：ＮＯ）は、ステップＳ７に進む。次に、床暖房パネル種類による補正を行うか否かが判断される（ステップＳ７）。ここで、床暖房パネル種類による補正を行う場合（Ｓ７：ＹＥＳ）には、上記の目標水温は、床暖房パネル種類による補正値によって変更される（ステップＳ８）。一方、床暖房パネル種類による補正を行わない場合（Ｓ７：ＮＯ）は、ステップＳ９に進む。上記の手順で、エリアＩ及びエリアＩＩの目標水温Ｄ（Ｉ）、Ｄ（ＩＩ）が決定される（ステップＳ９）。その後、床暖房システムの目標水温は、エリアＩの床暖房運転だけが行われている場合はエリアＩの目標水温Ｄ（Ｉ）に決定され、エリアＩＩの床暖房運転だけが行われている場合はエリアＩＩの目標水温Ｄ（ＩＩ）に決定され、エリアＩ及びエリアＩの床暖房運転が同時に行われている場合はエリアＩ、ＩＩの目標水温Ｄ（Ｉ）、Ｄ（ＩＩ）のうちで高い方の目標水温に決定される（ステップＳ１０）。
【００４３】
速暖目標水温記憶部６２は、床暖房運転開始時における床暖房システムの目標水温となる速暖目標水温ＤＭＡＸを記憶する。この速暖目標水温ＤＭＡＸは、床暖房運転開始時の立ち上がり速暖性を重視するために別途設定されており、床暖房運転開始時は、リモコン４６、４７で設定された設定温度に関わらず、床暖房システムの戻り水温（本実施形態では、床暖房システムの水温として、戻り水温検知サーミスタ３５で検知される温度が用いられ、各床暖房パネルをそれぞれ循環した温調水が合流する合流部における温調水の温度である）は速暖目標水温ＤＭＡＸに基づいて制御される。本実施形態では、速暖目標水温ＤＭＡＸは、エリアＩ及びエリアＩＩに対して設定可能な最大設定温度に対応した目標水温以上の温度が設定されている。
【００４４】
速暖時間決定部６３は、立ち上がり速暖運転が行われる速暖時間ＴＳ（床暖房システムの戻り水温が速暖目標水温ＤＭＡＸに基づいて制御される時間）を決定する。本実施形態では、速暖時間ＴＳは、戻り水温の立ち上がり速度（戻り水温が立ち上がり速暖運転が行われない場合の床暖房システムの目標水温に到達するまでの時間）、床暖房パネル内の初期水温及び床暖房パネルが設置された部屋の初期室温等を考慮した上で決定される。例えば、戻り水温の立ち上がり速度が遅い場合や、初期水温が低い場合や、初期室温が低い場合には、速暖時間ＴＳが長くなるように決定される。従って、速暖時間決定部６３は、床暖房運転が行われる条件に応じて異なる速暖時間ＴＳを決定する。
【００４５】
運転時間タイマー６４は、エリアＩ及びエリアＩＩでの床暖房運転が同時に運転状態となったときに計測を開始するものであって、第１所定時間となる所定時間Ｔａ（例えば２０分）を経過するとオーバーとなる。
【００４６】
禁止タイマー６５は、エリアＩ及びエリアＩＩでの床暖房運転が同時に運転状態となったときに、戻り水温検知サーミスタ３５で検知される戻り水温が、エリアＩ、ＩＩの目標水温Ｄ（Ｉ）、Ｄ（ＩＩ）のうちで低い方の目標水温に到達したときに計測を開始するものであって、第２所定時間となる所定時間ＴＬ（例えば１０分）を経過するとオーバーとなる。ここで、禁止タイマー６５は、エリアＩ及びエリアＩＩでの床暖房運転が同時に運転状態となった後、１回だけ計測する。従って、禁止タイマー６５は、床暖房運転中に、戻り水温が低い方の目標水温を超えた後で、その低い方の目標水温より低くなり、再度、その低い方の目標水温に到達した場合は測定を開始しない。
【００４７】
速暖タイマー６６は、床暖房運転開始時の立ち上がり速暖運転が行われる時間を計測するものであり、エリアＩ及びエリアＩＩの少なくとも一方での床暖房運転が開始されたときに計測を開始するものであって、立ち上がり速暖運転が行われる速暖時間ＴＳを経過するとオーバーとなる。
【００４８】
膨張弁制御部６７は、電動膨張弁２２、２９の開閉を制御する。
【００４９】
なお、以下の説明では、エリアＩ、ＩＩのうちで設定温度が高い方のエリアを高温エリア、低い方のエリアを低温エリアとし、本実施形態では、エリアＩが高温エリアとなり、エリアＩＩが低温エリアとなる場合を説明する。また、エリアＩ、ＩＩの目標水温Ｄ（Ｉ）、Ｄ（ＩＩ）のうちで高い方の目標水温を高温側目標水温ＤＨとし、低い方の目標水温を低温側目標水温ＤＬとして説明する。
ＤＨ＝ＭＡＸ（Ｄ（Ｉ）、Ｄ（ＩＩ））
ＤＬ＝ＭＩＸ（Ｄ（Ｉ）、Ｄ（ＩＩ））
【００５０】
判断部６８は、低温エリアに対応した熱動弁の間欠制御（低温エリアに配置された床暖房パネル２ｂ〜２ｄに供給される温調水量の間欠制御（低温エリアに対する間欠制御））を開始するか否かを判断する。具体的には、判断部６８は、高温側目標水温ＤＨと低温側目標水温ＤＬとの差が別途設定された一定値より大きく、且つ、運転時間タイマー６４及び禁止タイマー６５の両方がオーバーしたときに、低温エリアに対応した熱動弁の間欠制御を開始すると判断する。従って、判断部６７は、高温側目標水温ＤＨと低温側目標水温ＤＬとの差が別途設定された一定値以下の場合には、運転時間タイマー６４及び禁止タイマー６５の両方がオーバーしたとしても、低温エリアに対応した熱動弁の間欠制御を開始するとは判断しない。
【００５１】
熱動弁制御部６９は、各暖房パネル２ａ〜２ｄに対応した熱動弁５２ａ〜５２ｄを制御する。熱動弁制御部６９は、エリアＩ、ＩＩでの暖房運転が同時に行われる場合であって、低温エリアに対応した熱動弁の間欠制御を行う場合には、高温エリアに対応した熱動弁は開状態に維持すると共に、低温エリアに対応した熱動弁は、開状態と閉状態とが交互になるように間欠的に制御する。このように、低温エリアに対応した熱動弁の間欠制御が行われることで、低温エリアに配置された床暖房パネル２ｂ〜２ｄに供給される温調水量の間欠制御が行われる。
【００５２】
圧縮機制御部７０は、床暖房システムの戻り水温を、目標水温決定部６１で決定された目標水温に基づいて、圧縮機２１の回転数を制御する。従って、本実施形態の床暖房装置１００では、圧縮機制御部７０によって、圧縮機２１の回転数が制御されることによって、温調水ユニット１に供給される冷媒量が調整され、床暖房システムの戻り水温が目標水温決定部６１で決定された目標水温とほぼ同一になるようになる。
【００５３】
図５には、熱動弁の制御に用いられるパルス信号の一例が図示されている。図５（ａ）は、高温エリアとなるエリアＩに対応した熱動弁５２ａの制御に用いられるパルス信号、図５（ｂ）〜図５（ｄ）は、低温エリアとなるエリアＩＩに対応した熱動弁５２ｂ〜５２ｄの制御に用いられるパルス信号を示し、高温エリアの床暖房パネル２ａに対応した熱動弁５２ａが開状態に維持されると共に、低温エリアの床暖房パネル２ｂ〜２ｄに対応した熱動弁５２ｂ〜５２ｄが間欠的に制御される場合が図示されている。また、図５では、床暖房装置１００が後述する＜パターンＤ＞で動作する場合、つまり、エリアＩでの床暖房運転が開始された後で、エリアＩＩにおいて、エリアＩより低い設定温度での床暖房運転が開始された場合の制御に用いられるパルス信号が図示されている。
【００５４】
エリアＩでの床暖房運転が開始された時刻ｔｄ０において、熱動弁５２ａの制御に用いられるパルス信号は、閉状態（ＯＦＦ状態）から開状態（ＯＮ状態）に切り換わる。そして、時刻ｔｄ２において、エリアＩＩでの床暖房運転が開始されると、熱動弁５２ｂ〜５２ｄの制御に用いられるパルス信号は、閉状態（ＯＦＦ状態）から開状態（ＯＮ状態）に切り換わる。その後、時刻ｔｄ３において、後で詳述するように、低温エリアに対する間欠制御が開始されるようになると、その後は、熱動弁５２ｂ〜５２ｄの制御に用いられるパルス信号は、時間ＴＯＮの開状態と時間ＴＯＦＦの閉状態とが交互に繰り返される。但し、熱動弁５２ｂ〜５２ｄのパルス信号において、低温エリアに対する間欠制御が開始される時刻ｔｄ３の後における最初の開状態の時間に関しては、それぞれ、時間ＴＯＮに、時間ＴＷｂ、ＴＷｃ、ＴＷｄが加算される。このように、時間ＴＷｂ、ＴＷｃ、ＴＷｄが加算されることで、これらのパルス信号の全ては、互いに異なるタイミングでオン／オフが切り換わるようになる。
【００５５】
次に、低温エリアに対する間欠制御に用いられるパルス信号における開時間ＴＯＮ及び閉時間ＴＯＦＦの決め方について説明する。ここで、開時間ＴＯＮ及び閉時間ＴＯＦＦは、高温側目標水温ＤＨと低温側目標水温ＤＬとから計算されることから分かるように、低温エリアに対する間欠制御は、高温側目標水温ＤＨ及び低温側目標水温ＤＬに基づいて行われる。
【００５６】
高温側目標水温ＤＨに対する低温側目標水温ＤＬの水温比率Ｗｒを、高温側目標水温ＤＨと低温側目標水温ＤＬとから計算する。
Ｗｒ＝ｆ１（ＤＬ，ＤＨ）
【００５７】
そして、水温比率Ｗｒから開時間ＴＯＮ（ＯＮ指令時間）を計算する。
ＴＯＮ＝ｆ２（ＴＰ，Ｗｒ）
ここで、時間ＴＰは、開時間ＴＯＮと閉時間ＴＯＦＦとの合計を示しており、時間ＴＰは別途設定される。
ＴＰ＝ＴＯＮ＋ＴＯＦＦ
【００５８】
そして、開時間ＴＯＮから開時間ＴＯＦＦ（ＯＦＦ指令時間）を計算する。
ＴＯＦＦ＝ＴＰ−ＴＯＮ
【００５９】
次に、本実施形態の床暖房装置１００の動作例について、図６〜図１５を参照して説明する。ここでは、下記の＜パターンＡ＞〜＜パターンＥ＞の動作を説明する。
＜パターンＡ＞：２エリアの運転が同時に開始される場合
＜パターンＢ＞：１エリアの運転が開始され、立ち上がり速暖運転終了後に、２エリアの同時運転が行われる場合（低温エリア→高温エリア）
＜パターンＣ＞：１エリアの運転が開始され、立ち上がり速暖運転中に、２エリアの同時運転が行われる場合（低温エリア→高温エリア）
＜パターンＤ＞：１エリアの運転が開始され、立ち上がり速暖運転終了後に、２エリアの同時運転が行われる場合（高温エリア→低温エリア）
＜パターンＥ＞：１エリアの運転が開始され、立ち上がり速暖運転中に、２エリアの同時運転が行われる場合（高温エリア→低温エリア）
【００６０】
まず、＜パターンＡ＞の動作を、図６及び図７を参照して説明する。図６は、床暖房装置における＜パターンＡ＞の動作時の床暖房システムの戻り水温の変化を示す図である。図７は、床暖房装置における＜パターンＡ＞の動作手順を示すフローチャートである。図６、図８、図１０、図１２及び図１４において、太線は床暖房システムの戻り水温の変化を示し、破線は低温エリアの床暖房パネルの床温の変化を示している。
【００６１】
まず、時刻ｔａ０において、エリアＩ、ＩＩでの床暖房運転が同時に開始される（ステップＳ１０１）。床暖房運転開始時は、立ち上がり速暖運転が行われるので、床暖房システムの戻り水温は速暖目標水温ＤＭＡＸに基づいて制御される。そのため、床暖房システムの戻り水温は、急激に上昇し始める。時刻ｔａ０において、２エリアでの同時運転が開始されると、エリアＩの目標水温Ｄ（Ｉ）とエリアＩＩの目標水温Ｄ（ＩＩ）との差が一定値より大きいか否かが判断される（ステップ１０２）。ここで、上記の温度差が一定値より大きい場合（Ｓ１０２：ＹＥＳ）には、低温エリアに対する間欠制御が行われるため、以下の手順で間欠制御の開始条件が判断される。なお、エリアＩ、ＩＩでの床暖房運転が同時に開始される場合は、運転開始時において、エリアＩ、ＩＩのどちらが高温エリアまたは低温エリアになるかが決まる。
【００６２】
そして、時刻ｔａ０において、２エリアでの同時運転が開始されたときに、運転時間タイマー６４での測定が開始される（ステップＳ１０３）。また、床暖房システムの戻り水温が低温側目標水温ＤＬ以上か否かが繰り返し判断される（ステップＳ１０４）。ここで、時刻ｔａ１において、戻り水温が低温側目標水温ＤＬに到達すると（Ｓ１０４：ＹＥＳ）、禁止タイマー６５での測定が開始される（ステップＳ１０５）。その後、運転時間タイマー６４及び禁止タイマー６５の両方がオーバーしたか否かが繰り返し判断され（ステップＳ１０６）、時刻ｔａ２において、運転時間タイマー６４及び禁止タイマー６５の両方がオーバーすると（Ｓ１０６：ＹＥＳ）、低温エリアに対する間欠制御が開始される（ステップＳ１０７）。従って、床暖房システムの戻り水温が速暖目標水温ＤＭＡＸに基づいて制御された状態で、高温エリアに対応した熱動弁５２ａは開状態に維持されると共に、低温エリアに対応した熱動弁５２ｂ〜５２ｄは間欠制御される。そして、立ち上がり速暖運転が、時刻ｔａ３において、速暖タイマー６６がオーバーするまで継続される（ステップＳ１０８）。ここで、速暖タイマー６６がオーバーするまでは、床暖房システムの戻り水温は速暖目標水温ＤＭＡＸに基づいて制御されるが、その後は、高温側目標水温ＤＨに基づいて制御される。従って、床暖房システムの戻り水温が高温側目標水温ＤＨに基づいて制御された状態で、高温エリアに対応した熱動弁５２ａは開状態に維持されると共に、低温エリアに対応した熱動弁５２ｂ〜５２ｄは間欠制御される。
【００６３】
一方、ステップＳ１０２において、上記の温度差が一定値以下である場合（Ｓ１０２：ＮＯ）には、低温エリアに対する間欠制御が行われないので、立ち上がり速暖運転が速暖時間が経過するまで継続される（ステップＳ１０８）。従って、時刻ｔａ３において、速暖タイマー６６がオーバーするまでは、床暖房システム戻りの水温が速暖目標水温ＤＭＡＸに基づいて制御され、その後は、床暖房システム戻りの水温が高温側目標水温ＤＨに基づいて制御されるが、高温エリアに対応した熱動弁５２ａ及び低温エリアに対応した熱動弁５２ｂ〜５２ｄはいずれも開状態に維持される。
【００６４】
次に、＜パターンＢ＞の動作を、図８及び図９を参照して説明する。図８は、床暖房装置における＜パターンＢ＞の動作時の床暖房システムの戻り水温の変化を示す図である。図９は、床暖房装置における＜パターンＢ＞の動作手順を示すフローチャートである。
【００６５】
まず、時刻ｔｂ０において、エリアＩ、ＩＩのいずれか一方での床暖房運転が開始される（ステップＳ２０１）。床暖房運転開始時は、立ち上がり速暖運転が行われるので、床暖房システムの戻り水温は速暖目標水温ＤＭＡＸに基づいて制御される。そのため、床暖房システムの戻り水温は、急激に上昇し始める。そして、時刻ｔｂ１において、速暖タイマー６６がオーバーするまでは、床暖房システムの戻り水温は速暖目標水温ＤＭＡＸに基づいて制御されるが、その後は、床暖房運転が開始されたエリアでの目標水温に基づいて制御される（ステップ２０２）。その後、時刻ｔｂ２において、エリアＩ、ＩＩのうちの他方での床暖房運転が開始され、２エリアでの同時運転が開始されると（ステップ２０３）、エリアＩの目標水温Ｄ（Ｉ）とエリアＩＩの目標水温Ｄ（ＩＩ）との差が一定値より大きいか否かが判断される（ステップ２０４）。ここで、上記の温度差が一定値より大きい場合（Ｓ２０４：ＹＥＳ）には、低温エリアに対する間欠制御が行われるため、以下の手順で間欠制御の開始条件が判断される。なお、エリアＩ、ＩＩでの同時運転が開始された段階（時刻ｔｂ２）で、エリアＩ、ＩＩのどちらが高温エリアまたは低温エリアになるかが決まるので、立ち上がり速暖運転が終了した段階（時刻ｔｂ１）では、床暖房運転が先に開始されたエリアが高温エリアまたは低温エリアのどちらかは判断できないが、＜パターンＢ＞では、低温エリアとなるエリアＩＩでの床暖房運転が先に開始される場合であるので、立ち上がり速暖運転が終了すると、その後は、床暖房システムの戻り水温は低温側目標水温ＤＬに基づいて制御される。
【００６６】
そして、時刻ｔｂ２において、２エリアでの同時運転が開始されたときに、運転時間タイマー６４での測定が開始される（ステップＳ２０５）。ここで、２エリアでの同時運転が開始されると、床暖房システムの戻り水温は高温側目標水温ＤＨに基づいて制御されるが、＜パターンＢ＞では、低温エリアとなるエリアＩＩでの床暖房運転が先に開始される場合であるので、その後は、床暖房システムの戻り水温は、時刻ｔｂ２において、床暖房運転が開始されたエリアＩの目標水温に基づいて制御される。また、床暖房システムの戻り水温が低温側目標水温ＤＬ以上か否かが繰り返し判断される（ステップＳ２０６）。ここで、時刻ｔｂ３において、戻り水温が低温側目標水温ＤＬに到達すると（Ｓ２０６：ＹＥＳ）、禁止タイマー６５での測定が開始される（ステップＳ２０７）。その後、運転時間タイマー６４及び禁止タイマー６５の両方がオーバーしたか否かが繰り返し判断され（ステップＳ２０８）、時刻ｔｂ４において、運転時間タイマー６４及び禁止タイマー６５の両方がオーバーすると（Ｓ２０８：ＹＥＳ）、低温エリアに対する間欠制御が開始される（ステップＳ２０９）。従って、床暖房システムの戻り水温が高温側目標水温ＤＨに基づいて制御された状態で、高温エリアに対応した熱動弁５２ａは開状態に維持されると共に、低温エリアに対応した熱動弁５２ｂ〜５２ｄは間欠制御される。
【００６７】
一方、ステップＳ２０４において、上記の温度差が一定値以下である場合（Ｓ２０４：ＮＯ）には、低温エリアに対する間欠制御が行われないので、床暖房システムの戻り水温が高温側目標水温ＤＨに基づいて制御された状態で、高温エリアに対応した熱動弁５２ａ及び低温エリアに対応した熱動弁５２ｂ〜５２ｄはいずれも開状態に維持される。
【００６８】
次に、＜パターンＣ＞の動作を、図１０及び図１１を参照して説明する。図１０は、床暖房装置における＜パターンＣ＞の動作時の床暖房システムの戻り水温の変化を示す図である。図１１は、床暖房装置における＜パターンＣ＞の動作手順を示すフローチャートである。
【００６９】
まず、時刻ｔｃ０において、エリアＩ、ＩＩのいずれか一方での床暖房運転が開始される（ステップＳ３０１）。床暖房運転開始時は、立ち上がり速暖運転が行われるので、戻り水温は速暖目標水温ＤＭＡＸに基づいて制御される。そのため、戻り水温は、急激に上昇し始める。そして、時刻ｔｃ１において、エリアＩ、ＩＩのうちの他方の床暖房運転が開始され、２エリアでの同時運転が開始されると（ステップＳ３０２）、エリアＩの目標水温Ｄ（Ｉ）とエリアＩＩの目標水温Ｄ（ＩＩ）との差が一定値より大きいか否かが判断される（ステップ３０３）。ここで、上記の温度差が一定値より大きい場合（Ｓ３０３：ＹＥＳ）には、低温エリアに対する間欠制御が行われるため、以下の手順で間欠制御の開始条件が判断される。
【００７０】
そして、時刻ｔｃ１において、２エリアでの同時運転が開始されたときに、運転時間タイマー６４での測定が開始される（ステップＳ３０４）。また、床暖房システムの戻り水温が低温側目標水温ＤＬ以上か否かが繰り返し判断される（ステップＳ３０５）。ここで、エリアＩ、ＩＩでの同時運転が開始された段階（時刻ｔｃ１）で、エリアＩ、ＩＩのどちらが高温エリアまたは低温エリアになるかが決まるが、＜パターンＣ＞では、高温エリアとなるエリアＩでの床暖房運転が先に開始される場合であるので、時刻ｔｃ１において、戻り水温は低温側目標水温ＤＬ以上であるので（Ｓ３０５：ＹＥＳ）、禁止タイマー６５での測定が開始される（ステップＳ３０６）。その後、運転時間タイマー６４及び禁止タイマー６５の両方がオーバーしたか否かが繰り返し判断され（ステップＳ３０７）、時刻ｔｃ２において、運転時間タイマー６４及び禁止タイマー６５の両方がオーバーすると（Ｓ３０７：ＹＥＳ）、低温エリアに対する間欠制御が開始される（ステップＳ３０８）。従って、床暖房システムの戻り水温が速暖目標水温ＤＭＡＸに基づいて制御された状態で、高温エリアに対応した熱動弁５２ａは開状態に維持されると共に、低温エリアに対応した熱動弁５２ｂ〜５２ｄは間欠制御される。そして、時刻ｔｃ３において、速暖タイマー６６がオーバーするまでは、床暖房システムの戻り水温は速暖目標水温ＤＭＡＸに基づいて制御されるが、その後は、戻り水温は高温側目標水温に基づいて制御される（ステップＳ３０９）。従って、床暖房システムの戻り水温が高温側目標水温ＤＨに基づいて制御された状態で、高温エリアに対応した熱動弁５２ａは開状態に維持されると共に、低温エリアに対応した熱動弁５２ｂ〜５２ｄは間欠制御される。
【００７１】
一方、ステップＳ３０３において、上記の温度差が一定値以下である場合（Ｓ３０３：ＮＯ）には、低温エリアに対する間欠制御が行われないので、立ち上がり速暖運転が速暖時間が経過するまで継続される（ステップＳ３０９）。従って、時刻ｔｃ３において、速暖タイマー６６がオーバーするまでは、床暖房システム戻りの水温が速暖目標水温ＤＭＡＸに基づいて制御され、その後は、床暖房システム戻りの水温が高温側目標水温ＤＨに基づいて制御されるが、高温エリアに対応した熱動弁５２ａ及び低温エリアに対応した熱動弁５２ｂ〜５２ｄはいずれも開状態に維持される。
【００７２】
まず、＜パターンＤ＞の動作を、図１２及び図１３を参照して説明する。図１２は、床暖房装置における＜パターンＤ＞の動作時の床暖房システムの戻り水温の変化を示す図である。図１３は、床暖房装置における＜パターンＤ＞の動作手順を示すフローチャートである。
【００７３】
まず、時刻ｔｄ０において、エリアＩ、ＩＩのいずれか一方での床暖房運転が開始される（ステップＳ４０１）。床暖房運転開始時は、立ち上がり速暖運転が行われるので、戻り水温は速暖目標水温ＤＭＡＸに基づいて制御される。そのため、戻り水温は、急激に上昇し始める。そして、時刻ｔｄ１において、速暖タイマー６６がオーバーするまでは、床暖房システムの戻り水温は速暖目標水温ＤＭＡＸに基づいて制御されるが、その後は、床暖房運転が開始されたエリアでの目標水温に基づいて制御される（ステップ４０２）。その後、時刻ｔｄ２において、エリアＩ、ＩＩのうちの他方での床暖房運転が開始され、２エリアでの同時運転が開始されると（ステップ４０３）、エリアＩの目標水温Ｄ（Ｉ）とエリアＩＩの目標水温Ｄ（ＩＩ）との差が一定値より大きいか否かが判断される（ステップ４０４）。ここで、上記の温度差が一定値より大きい場合（Ｓ４０４：ＹＥＳ）には、低温エリアに対する間欠制御が行われるため、以下の手順で間欠制御の開始条件が判断される。なお、エリアＩ、ＩＩでの同時運転が開始された段階（時刻ｔｄ２）で、エリアＩ、ＩＩのどちらが高温エリアまたは低温エリアになるかが決まるので、立ち上がり速暖運転が終了した段階（時刻ｔｄ１）では、床暖房運転が先に開始されたエリアが高温エリアまたは低温エリアのどちらかは判断できないが、＜パターンＤ＞では、高温エリアとなるエリアＩでの床暖房運転が先に開始される場合であるので、立ち上がり速暖運転が終了すると、その後は、床暖房システムの戻り水温は高温側目標水温ＤＨに基づいて制御される。
【００７４】
そして、時刻ｔｄ２において、２エリアでの同時運転が開始されたときに、運転時間タイマー６４での測定が開始される（ステップＳ４０５）。ここで、２エリアでの同時運転が開始されると、床暖房システムの戻り水温は高温側目標水温ＤＨに基づいて制御されるが、＜パターンＤ＞では、高温エリアとなるエリアＩでの床暖房運転が先に開始される場合であるので、引き続き、先に床暖房運転が開始されたエリアＩの目標水温に基づいて制御される。また、床暖房システムの戻り水温が低温側目標水温ＤＬ以上か否かが繰り返し判断される（ステップＳ４０６）。ここで、＜パターンＤ＞では、高温エリアとなるエリアＩでの床暖房運転が先に開始されており、時刻ｔｄ２において、戻り水温は低温側目標水温ＤＬ以上であるので（Ｓ４０６：ＹＥＳ）、禁止タイマー６５での測定が開始される（ステップＳ４０７）。その後、運転時間タイマー６４及び禁止タイマー６５の両方がオーバーしたか否かが繰り返し判断され（ステップＳ４０８）、時刻ｔｄ３において、運転時間タイマー６４及び禁止タイマー６５の両方がオーバーすると（Ｓ４０８：ＹＥＳ）、低温エリアに対する間欠制御が開始される（ステップＳ４０９）。従って、床暖房システムの戻り水温が高温側目標水温ＤＨに基づいて制御された状態で、高温エリアに対応した熱動弁５２ａは開状態に維持されると共に、低温エリアに対応した熱動弁５２ｂ〜５２ｄは間欠制御される。
【００７５】
一方、ステップＳ４０４において、上記の温度差が一定値以下である場合（Ｓ４０４：ＮＯ）には、低温エリアに対する間欠制御が行われないので、床暖房システムの戻り水温が高温側目標水温ＤＨに基づいて制御された状態で、高温エリアに対応した熱動弁５２ａ及び低温エリアに対応した熱動弁５２ｂ〜５２ｄはいずれも開状態に維持される。
【００７６】
まず、＜パターンＥ＞の動作を、図１４及び図１５を参照して説明する。図１４は、床暖房装置における＜パターンＥ＞の動作時の床暖房システムの戻り水温の変化を示す図である。図１５は、床暖房装置における＜パターンＥ＞の動作手順を示すフローチャートである。
【００７７】
まず、時刻ｔｅ０において、エリアＩ、ＩＩのいずれか一方での床暖房運転が開始される（ステップＳ５０１）。床暖房運転開始時は、立ち上がり速暖運転が行われるので、戻り水温は速暖目標水温ＤＭＡＸに基づいて制御される。そのため、戻り水温は、急激に上昇し始める。そして、時刻ｔｅ１において、エリアＩ、ＩＩのうちの他方の床暖房運転が開始され、２エリアでの同時運転が開始されると（ステップＳ５０２）、エリアＩの目標水温Ｄ（Ｉ）とエリアＩＩの目標水温Ｄ（ＩＩ）との差が一定値より大きいか否かが判断される（ステップ５０３）。ここで、上記の温度差が一定値より大きい場合（Ｓ５０３：ＹＥＳ）には、低温エリアに対する間欠制御が行われるため、以下の手順で間欠制御の開始条件が判断される。
【００７８】
そして、時刻ｔｅ１において、２エリアでの同時運転が開始されたときに、運転時間タイマー６４での測定が開始される（ステップＳ５０４）。また、床暖房システムの戻り水温が低温側目標水温ＤＬ以上か否かが繰り返し判断される（ステップＳ５０５）。ここで、エリアＩ、ＩＩでの同時運転が開始された段階（時刻ｔｅ１）で、エリアＩ、ＩＩのどちらが高温エリアまたは低温エリアになるかが決まるが、＜パターンＥ＞では、高温エリアとなるエリアＩでの床暖房運転が先に開始される場合であるので、時刻ｔｅ１において、戻り水温が低温側目標水温ＤＬ以上であるので（Ｓ５０５：ＹＥＳ）、禁止タイマー６５での測定が開始される（ステップＳ５０６）。その後、運転時間タイマー６４及び禁止タイマー６５の両方がオーバーしたか否かが繰り返し判断され（ステップＳ５０７）、時刻ｔｅ２において、運転時間タイマー６４及び禁止タイマー６５の両方がオーバーすると（Ｓ５０７：ＹＥＳ）、低温エリアに対する間欠制御が開始される（ステップＳ５０８）。従って、床暖房システムの戻り水温が速暖目標水温ＤＭＡＸに基づいて制御された状態で、高温エリアに対応した熱動弁５２ａは開状態に維持されると共に、低温エリアに対応した熱動弁５２ｂ〜５２ｄは間欠制御される。そして、時刻ｔｅ３において、速暖タイマー６６がオーバーするまでは、床暖房システムの戻り水温は速暖目標水温ＤＭＡＸに基づいて制御されるが、その後は、戻り水温は高温側目標水温ＤＨに基づいて制御される（ステップＳ５０９）。従って、床暖房システムの戻り水温が高温側目標水温ＤＨに基づいて制御された状態で、高温エリアに対応した熱動弁５２ａは開状態に維持されると共に、低温エリアに対応した熱動弁５２ｂ〜５２ｄは間欠制御される。
【００７９】
一方、ステップＳ５０３において、上記の温度差が一定値以下である場合（Ｓ５０３：ＮＯ）には、低温エリアに対する間欠制御が行われないので、立ち上がり速暖運転が速暖時間が経過するまで継続される（ステップＳ５０９）。従って、時刻ｔｅ３において、速暖タイマー６６がオーバーするまでは、床暖房システム戻りの水温が速暖目標水温ＤＭＡＸに基づいて制御され、その後は、床暖房システム戻りの水温が高温側目標水温ＤＨに基づいて制御されるが、高温エリアに対応した熱動弁５２ａ及び低温エリアに対応した熱動弁５２ｂ〜５２ｄはいずれも開状態に維持される。
【００８０】
以上説明したように、本実施形態の床暖房装置１００では、エリアＩ及びエリアＩＩの少なくとも一方での床暖房運転が開始されると、床暖房システムの戻り水温が、速暖目標水温ＤＭＡＸに基づいて制御される。そのため、エリアＩに配置された床暖房パネル２ａ及びエリアＩＩに配置された床暖房パネル２ｂ〜２ｄにおける床温上昇を早めることができる。また、エリアＩ及びエリアＩＩでの床暖房運転が同時に行われる場合に、低温エリアとなるエリアＩＩの床暖房パネル２ｂ〜２ｄに供給される温調水量の間欠制御は、２エリアでの床暖房運転開始時と同時に開始されるのではなく、２エリアでの床暖房運転開始時よりも後において開始されるので、低温エリアの床暖房パネル２ｂ〜２ｄにおける床温上昇が遅くなるのを抑制できる。
【００８１】
また、低温エリアの床暖房パネル２ｂ〜２ｄに供給される温調水量の間欠制御は、２エリアでの床暖房運転開始時から所定時間Ｔａが経過し、床暖房システムの戻り水温が安定した後で開始される。従って、低温エリアの床暖房パネル２ｂ〜２ｄの床温をその設定温度に基づいて適正に制御できる。
【００８２】
また、低温エリアの床暖房パネル２ｂ〜２ｄに供給される温調水量の間欠制御は、床暖房システムの戻り水温が低温側目標水温ＤＬに到達した時点から所定時間ＴＬが経過した後で開始されるので、低温エリアの床暖房パネル２ｂ〜２ｄにおける床温上昇が遅くなるのを抑制できる。
【００８３】
また、低温エリアの床暖房パネル２ｂ〜２ｄに供給される温調水量の間欠制御は、高温側目標水温ＤＨと低温側目標水温ＤＬとの温度差が一定値よりも大きく、低温エリアの床暖房パネル２ｂ〜２ｄの床温が上がりすぎる場合にだけ行われる。
【００８４】
また、床暖房パネル２ｂ〜２ｄに供給される温調水量の間欠制御は、高温側目標水温ＤＨ及び低温側目標水温ＤＬに基づいて行われるので、低温エリアの床暖房パネル２ｂ〜２ｄの床温をその設定温度に基づいて適正に制御できる。
【００８５】
また、床暖房パネル２ｂ〜２ｄに供給される温調水量の間欠制御に用いられるパルス信号の全ては、互いに異なるタイミングでオン／オフが切り換わる。従って、低温エリアの床暖房パネル２ｂ〜２ｄの全てにおいて、温調水の供給タイミング及び温調水の供給停止タイミングがずれるので、高温エリアの床暖房パネル２ａに供給される温調水量が変動するのを防止できる。
【００８６】
（第２実施形態）
次に、第２実施形態に係る床暖房装置１０１について説明する。
上記第１実施形態では、室外機１０１Ｂに対して、床暖房装置１００を構成する温調水ユニット１０１Ａと、空気調和機を構成する室内ユニット１８とが接続された構成について説明したが、第２実施形態においては、室外機１０１Ｂに対して温調水ユニット１０１Ａのみが接続された構成について説明する。なお、第１実施形態と同一部材には同一符号を付して、詳細な説明を省略する。
【００８７】
図１６は、本発明の第２実施形態に係る床暖房装置１０１の全体構成を示す水系統及び冷媒系統を示す回路図である。
まず、図１６における回路図の床暖房装置１０１の水系統について説明する。
床暖房装置１０１は、温調水ユニット１０１Ａと、ヒートポンプシステムの室外機１０１Ｂと、家屋の床面に配置された４枚の床暖房パネル２ａ〜２ｄとを有している。上記温調水ユニット１０１Ａと床暖房パネル２ａ〜２ｄとは、温調水往き配管と温調水戻り配管とからそれぞれ成る温調水配管３によって接続されている。そして、この温調水配管３を通して、温調水ユニット１０１Ａと床暖房パネル２ａ〜２ｄとの間において、水循環経路を構成し、温調水８の循環供給を行うよう構成されている。
【００８８】
上記温調水ユニット１０１Ａは、第１実施形態と同様に、水熱交換器１６、簡易密閉型の膨張タンク７、循環ポンプ９、往きヘッダ４、熱動弁５２ａ〜５２ｄ、戻りヘッダ６、電装品３３等が設けられている。なお、戻りヘッダ６と水熱交換器１６との間の管路において、水抜栓１１１が設けられており、水循環経路を流れる温調水を外部に排出することが可能である。また、戻りヘッダ６と水熱交換器１６との間の管路において、温度検知手段である戻り水温検知サーミスタ３５が、また上記水熱交換器１６には、温度検知手段である水熱交温度検知サーミスタ３６が、また水熱交換器１６と膨張タンク７の間の管路において温度検知手段である往き水温検知サーミスタ１１２が取付けられている。
【００８９】
次に冷媒系統について説明する。この床暖房装置１０１においては、第１実施形態に係る床暖房装置１００と同様に、温調水８の加熱に水熱交換器１６を使用している。そして、この水熱交換器１６と、ヒートポンプシステムの室外機１０１Ｂの室外熱交換器１９との間で冷媒循環回路を構成して、熱交換路１３を流れる温調水８を加熱するようにしている。
【００９０】
床暖房装置１０１では、冷媒が循環可能な順序で、圧縮機２１、温調水ユニット１０１Ａの水熱交換器１６、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されている。そして、上記吸入管２１ｂにアキュムレータ３１が介設される。一方、上記吐出管２１ａには、吐出管温度検知サーミスタ３８、マフラ１１３が付設されている。また、上記四路切換弁２３の一対の２次ポートの間には第１ガス管２４ａ、連絡配管２８ｂ、水熱交換器１６、第１液管２４ｂ、減圧機構２２、第２液管２４ｃ、室外熱交換器１９及び第２ガス管２４ｄが、順番に環状に接続されている。第１ガス管２４ａには、四路切換弁２３側から、マフラ１１４及びガス閉鎖弁１１５が順に介設されている。また、第１液管２４ｂには、連絡配管２８ａ側から液閉鎖弁１１６、フィルター付マフラ１１７及びストレーナ１１８が順に介設されている。また、第２液管２４ｃには、減圧機構２２側からストレーナ１１９及びフィルター付分岐マフラ１２０が介設されている。なお、第２液管２４ｃは、フィルター付分岐マフラ１２０にて分岐している。室外熱交換器１９は並列する２つの管路を有しており、当該分岐した一対の第２液管２４ｃに接続されている。そして、室外熱交換器１９における並列する２つの管路は、第２ガス管２４ｄにて合流するように構成されている。また、室外熱交換器１９には、室外熱交温度検知サーミスタ４１とが付設されており、さらに室外機１０１Ｂには、外気温度検知サーミスタ４２が取付けられている。
【００９１】
このように、四路切換弁２３には室外熱交換器１９、減圧機構２２、温調水ユニット１０１Ａの水熱交換器１６が環状に接続されている。
【００９２】
また、上記床暖房装置１０１には、冷暖房運転の開始や停止等の操作を行うためのワイヤードリモコン４６、４７が設けられている。
【００９３】
なお、第１実施形態においては、室外機１０１Ｂの電装品３２と温調水ユニット１０１Ａの電装品３３とは、別々に配置されているが、第２実施形態の床暖房装置１０１においては、電装品３３により、室外機１０１Ｂと温調水ユニット１０１Ａとを制御できるように構成されている。
【００９４】
次に、本実施形態の床暖房装置１０１の制御ユニットの主要な構成について、図１７を参照して説明する。図１７は、図１６の床暖房装置の制御ユニットの主要な構成を示すブロック図である。制御ユニット１６０は、目標水温決定部１６１と、速暖目標水温記憶部１６２と、速暖時間決定部１６３と、運転時間タイマー６４と、禁止タイマー１６５と、速暖タイマー６６と、膨張弁制御部１６７と、判断部６８と、熱動弁制御部６９と、圧縮機制御部１７０とを有している。そして、制御ユニット６０には、エリアＩ用のリモコン４６と、エリアＩＩ用のリモコン４７と、往き水温検知サーミスタ１１２と、外気温度検知サーミスタ４２と、圧縮機２１と、熱動弁５２ａ〜５２ｄと、電動膨張弁２９とがそれぞれ接続されている。また、リモコン４６、４７には、室温検知サーミスタ４６ａ、４７ａがそれぞれ配置されている。
【００９５】
目標水温決定部１６１は、床暖房システムの目標水温を決定する。本実施形態では、目標水温決定部１６１は、往き水温検知サーミスタ１１２で検知される往き水温の目標水温を決定する。従って、本実施形態の床暖房装置１０１では、往き水温検知サーミスタ１１２で検知される往き水温が、目標水温決定部１６１で決定された目標水温に基づいて制御される。ここで、目標水温決定部１６１での床暖房システムの目標水温の決定手順は、第１実施形態の戻り水温検知サーミスタ３５で検知される戻り水温の目標水温の決定手順と同様である。
【００９６】
速暖目標水温記憶部１６２は、床暖房運転開始時における床暖房システムの目標水温となる速暖目標水温ＤＭＡＸを記憶する。この速暖目標水温ＤＭＡＸは、床暖房運転開始時の立ち上がり速暖性を重視するために別途設定されており、床暖房運転開始時は、リモコン４６、４７で設定された設定温度に関わらず、床暖房システムの往き水温（本実施形態では、床暖房システムの水温として、往き水温検知サーミスタ１１２で検知される温度が用いられ、各床暖房パネルに供給される温調水の温度である）は速暖目標水温ＤＭＡＸに基づいて制御される。本実施形態では、速暖目標水温ＤＭＡＸは、エリアＩ及びエリアＩＩに対して設定可能な最大設定温度に対応した目標水温以上の温度が設定されている。
【００９７】
速暖時間決定部１６３は、立ち上がり速暖運転が行われる速暖時間ＴＳ（床暖房システムの往き水温が速暖目標水温ＤＭＡＸに基づいて制御される時間）を決定する。本実施形態では、速暖時間ＴＳは、往き水温の立ち上がり速度（往き水温が立ち上がり速暖運転が行われない場合の床暖房システムの目標水温に到達するまでの時間）、床暖房パネル内の初期水温及び床暖房パネルが設置された部屋の初期室温等を考慮した上で決定される。例えば、往き水温の立ち上がり速度が遅い場合や、初期水温が低い場合や、初期室温が低い場合には、速暖時間ＴＳが長くなるように決定される。従って、速暖時間決定部６３は、床暖房運転が行われる条件に応じて異なる速暖時間ＴＳを決定する。
【００９８】
禁止タイマー１６５は、エリアＩ及びエリアＩＩでの床暖房運転が同時に運転状態となったときに、往き水温検知サーミスタ１１２で検知される往き水温が、エリアＩ、ＩＩの目標水温Ｄ（Ｉ）、Ｄ（ＩＩ）のうちで低い方の目標水温に到達したときに計測を開始するものであって、第２所定時間となる所定時間ＴＬ（例えば１０分）を経過するとオーバーとなる。ここで、禁止タイマー６５は、エリアＩ及びエリアＩＩでの床暖房運転が同時に運転状態となった後、１回だけ計測する。従って、禁止タイマー６５は、床暖房運転中に、往き水温が低い方の目標水温を超えた後で、その低い方の目標水温より低くなり、再度、その低い方の目標水温に到達した場合は測定を開始しない。
【００９９】
膨張弁制御部１６７は、電動膨張弁２２の開閉を制御する。
【０１００】
圧縮機制御部１７０は、床暖房システムの往き水温を、目標水温決定部１６１で決定された目標水温に基づいて、圧縮機２１の回転数を制御する。従って、本実施形態の床暖房装置１０１では、圧縮機制御部１７０によって、圧縮機２１の回転数が制御されることによって、温調水ユニット１０１Ａに供給される冷媒量が調整され、床暖房システムの往き水温が目標水温決定部１６１で決定された目標水温とほぼ同一になるようになる。
【０１０１】
以上、本発明の実施形態について図面に基づいて説明したが、具体的な構成は、これらの実施形態に限られるものではなく、発明の要旨を逸脱しない範囲で変更可能である。
【０１０２】
上述の第１及び第２実施形態では、低温エリアに対する間欠制御は、運転時間タイマー６４及び禁止タイマー６５の両方がオーバーしたときに開始される（２エリアでの床暖房運転開始時から所定時間Ｔａが経過し、且つ、床暖房システムの戻り水温が低温側目標水温ＤＬに到達した時点から所定時間ＴＬが経過したときに開始される）が、低温エリアに対する間欠制御が、２エリアでの床暖房運転開始時よりも後において開始される床暖房装置であれば同様の効果が得られる。従って、例えば、低温エリアに対する間欠制御は、運転時間タイマー６４だけがオーバーしたときに開始されてもよいし、禁止タイマー６５だけがオーバーしたときに開始されてもよいし、床暖房システムの戻り水温が低温側目標水温ＤＬに到達した時点から開始されてもよい。
【０１０３】
上述の第１及び第２実施形態では、床暖房装置は、床暖房システムの戻り水温が、低温側目標水温ＤＬに到達したときに計測を開始する禁止タイマー６５を備えているが、床暖房システムの戻り水温が、高温側目標水温ＤＨに到達したときに計測を開始し、所定時間ＴＨを経過するとオーバーとなる別の禁止タイマーを備えていてもよい。そして、床暖房システムの戻り水温が、高温側目標水温ＤＨを確実に超えると考えられる場合は、運転時間タイマー６４、禁止タイマー６５及び追加した別の禁止タイマーの全てがオーバーしたときに、低温エリアに対する間欠制御を開始してもよい。
【０１０４】
上述の第１実施形態では、戻り水温検知サーミスタ３５で検知される戻り水温が目標水温に基づいて制御され、第２実施形態では、往き水温検知サーミスタ１１２で検知される往き水温が目標水温に基づいて制御されるが、これには限られない。従って、第２実施形態では、戻り水温検知サーミスタ３５で検知される戻り水温が目標水温に基づいて制御されてもよい。また、床暖房パネル２ａ〜２ｃをそれぞれ循環する温調水の温度が検知可能なサーミスタで検知される水温が目標温度に基づいて制御されるものであればよい。従って、目標水温に基づいて制御される温度を検知するサーミスタの位置は変更可能である。
【０１０５】
上述の第１及び第２実施形態では、低温エリアに対する間欠制御が、高温側目標水温ＤＨと低温側目標水温ＤＬとの温度差が一定値よりも大きい場合にだけ開始されるが、高温側目標水温ＤＨと低温側目標水温ＤＬとの温度差が一定値以下の場合に開始されてもよい。
【０１０６】
上述の第１及び第２実施形態では、低温エリアに対する間欠制御が、高温側目標水温ＤＨ及び低温側目標水温ＤＬに基づいて行われているが、これには限られない。例えば、立ち上がり速暖運転が行われている場合には、低温エリアに対する間欠制御が、速暖目標水温ＤＭＡＸ及び低温側目標水温ＤＬに基づいて行われてもよい。
【０１０７】
上述の第１及び第２実施形態では、立ち上がり速暖運転時の速暖目標水温ＤＭＡＸとして、エリアＩ及びエリアＩＩに対して設定可能な最大設定温度に対応した目標水温以上の温度が設定されているが、速暖目標水温ＤＭＡＸとしては、床暖房運転が開始されたエリアＩ及びエリアＩＩに対して設定された設定温度に対応した目標水温以上の温度であればよい。
＜パターンＡ＞：２エリアの運転が同時に開始される場合
このときは、速暖目標水温ＤＭＡＸは、２エリアに対して設定された設定温度の高い方の設定温度に対応した目標水温以上の温度に設定されてよい。
＜パターンＢ＞：１エリアの運転が開始され、立ち上がり速暖運転終了  後に、２エリアの同時運転が行われる場合（低温エリア→高温エリア）
このときは、速暖目標水温ＤＭＡＸは、低温エリアに対して設定された設定温度に対応した目標水温以上の温度に設定されてよい。
＜パターンＣ＞：１エリアの運転が開始され、立ち上がり速暖運転中に、２エリアの同時運転が行われる場合（低温エリア→高温エリア）
このときは、速暖目標水温ＤＭＡＸは、１エリアの運転が行われている間は、低温エリアに対して設定された設定温度に対応した目標水温以上の温度に設定され、２エリアの同時運転が行われると、高温エリアに対して設定された設定温度に対応した目標水温以上の温度に設定されてよい。
＜パターンＤ＞：１エリアの運転が開始され、立ち上がり速暖運転終了後に、２エリアの同時運転が行われる場合（高温エリア→低温エリア）
このときは、速暖目標水温ＤＭＡＸは、高温エリアに対して設定された設定温度に対応した目標水温以上の温度に設定されてよい。
＜パターンＥ＞：１エリアの運転が開始され、立ち上がり速暖運転中に、２エリアの同時運転が行われる場合（高温エリア→低温エリア）
このときは、速暖目標水温ＤＭＡＸは、高温エリアに対して設定された設定温度に対応した目標水温以上の温度に設定されてよい。
【０１０８】
上述の第１及び第２実施形態では、低温エリアに配置された床暖房パネル２ｂ〜２ｄに対応した熱動弁５２ｂ〜５２ｄの間欠制御に用いられるパルス信号の全ては、互いに異なるタイミングでオン／オフが切り換わるが、熱動弁５２ｂ〜５２ｄの間欠制御に用いられるパルス信号の少なくとも１つが、他のパルス信号とは異なるタイミングでオン／オフが切り換わってもよい。また、熱動弁５２ｂ〜５２ｄの間欠制御に用いられるパルス信号の全てが、同じタイミングでオン／オフが切り換わってもよいが、この場合は、高温エリアに配置された床暖房パネル２ａに供給される温調水量が変動することがある。
【産業上の利用可能性】
【０１０９】
本発明を利用すれば、２つのエリアに配置された床暖房パネルにおける床温上昇を早めることができる
【図面の簡単な説明】
【０１１０】
【図１】本発明の第１実施形態に係る床暖房装置の全体構成を示す水系統及び冷媒系統を示す回路図である。
【図２】図１の床暖房装置の水系統の一部を拡大した図である。
【図３】図１の床暖房装置の制御ユニットの主要な構成を示すブロック図である。
【図４】目標水温決定部での目標水温の決定手順を示すフローチャートである。
【図５】熱動弁の間欠制御に用いられるパルス信号の一例が図示されている。
【図６】床暖房装置における＜パターンＡ＞の動作時の床暖房システムの戻り水温の変化を示す図である。
【図７】床暖房装置における＜パターンＡ＞の動作手順を示すフローチャートである。
【図８】床暖房装置における＜パターンＢ＞の動作時の床暖房システムの戻り水温の変化を示す図である。
【図９】床暖房装置における＜パターンＢ＞の動作手順を示すフローチャートである。
【図１０】床暖房装置における＜パターンＣ＞の動作時の床暖房システムの戻り水温の変化を示す図である。
【図１１】床暖房装置における＜パターンＣ＞の動作手順を示すフローチャートである
【図１２】床暖房装置における＜パターンＤ＞の動作時の床暖房システムの戻り水温の変化を示す図である。
【図１３】床暖房装置における＜パターンＤ＞の動作手順を示すフローチャートである。
【図１４】床暖房装置における＜パターンＥ＞の動作時の床暖房システムの戻り水温の変化を示す図である。
【図１５】床暖房装置における＜パターンＥ＞の動作手順を示すフローチャートである。
【図１６】本発明の第２実施形態に係る床暖房装置の全体構成を示す水系統及び冷媒系統を示す回路図である。
【図１７】図１６の床暖房装置の制御ユニットの主要な構成を示すブロック図である。
【符号の説明】
【０１１１】
２ａ〜２ｄ  床暖房パネル
６１、１６１  目標水温決定部
６２、１６２  速暖目標水温記憶部
６３、１６３  速暖時間決定部
６４  運転時間タイマー
６５、１６５  禁止タイマー
６６  速暖タイマー
６７、１６７  膨張弁制御部
６８  判断部
６９  熱動弁制御部
７０、１７０  圧縮機制御部
１００、１０１  床暖房装置
【図１】
0005470810.tif 000002
【図２】
0005470810.tif 000003
【図３】
0005470810.tif 000004
【図４】
0005470810.tif 000005
【図５】
0005470810.tif 000006
【図６】
0005470810.tif 000007
【図７】
0005470810.tif 000008
【図８】
0005470810.tif 000009
【図９】
0005470810.tif 000010
【図１０】
0005470810.tif 000011
【図１１】
0005470810.tif 000012
【図１２】
0005470810.tif 000013
【図１３】
0005470810.tif 000014
【図１４】
0005470810.tif 000015
【図１５】
0005470810.tif 000016
【図１６】
0005470810.tif 000017
【図１７】
0005470810.tif 000018